(57)【要約】【課題】電源側バスバーおよびアース側バスバーへのコンデンサのリード部の接続作業を簡便且つ容易に行うことができると共に、それらの接続安定性を有利に維持することができる、新規な構造のコンデンサ内蔵ジョイントコネクタを提供すること。【解決手段】コネクタハウジング２２が、電源側／アース側バスバー１４，１８を保持するバスバー保持部５２と、コンデンサ保持部５４と、その間の接続領域５０とを含んで構成され、接続領域５０には、電源側／アース側バスバー１４，１８のリード接続部３４，４０と、コンデンサ２０のリード部４６が、相互に重ね合わされて電気的に接続されている一方、コンデンサ保持部５４が、底壁６２と筒壁６４を有しており、底壁６２には、一対のリード挿通孔６６ａ，６６ｂが貫設されている一方、筒壁６４には、底壁６２の一対のリード挿通孔６６ａ，６６ｂを外部から視認可能とするスリット６８が貫設されているようにした。【選択図】図１
2014096209.tif 000002
【特許請求の範囲】
【請求項１】
複数の端子部を有する電源側バスバーと、複数の端子部を有するアース側バスバーと、前記電源側バスバーと前記アース側バスバーの間を接続するコンデンサが、コネクタハウジングに収容保持されてなるコンデンサ内蔵ジョイントコネクタにおいて、
前記コネクタハウジングが、該コネクタハウジングの一端側に設けられて前記電源側バスバーと前記アース側バスバーを保持するバスバー保持部と、前記コネクタハウジングの他端側に設けられて前記バスバー保持部から離隔した位置に前記コンデンサを保持するコンデンサ保持部と、前記バスバー保持部と前記コンデンサ保持部との間に設けられた接続領域とを含んで構成されている一方、
前記コンデンサが、コンデンサ本体と、該コンデンサ本体の底面から同じ向きに突出する一対のリード部を備えていると共に、
前記電源側バスバーと前記アース側バスバーが、前記コンデンサの前記一対のリード部が接続されるリード接続部をそれぞれ備えており、
前記コネクタハウジングの前記接続領域には、前記バスバー保持部から前記コンデンサ保持部に向かって突出する前記電源側バスバーおよび前記アース側バスバーの前記リード接続部と、前記コンデンサ保持部から前記バスバー保持部に向かって突出する前記コンデンサの前記一対のリード部が、相互に重ね合わされて電気的に接続されている一方、
前記コンデンサ保持部が、前記コンデンサ本体の前記底面に対向する底壁と、前記コンデンサ本体の外周面を覆う筒壁を有して構成されており、
前記底壁には、前記コンデンサの前記一対のリード部が挿通される一対のリード挿通孔が貫設されている一方、前記筒壁には、前記底壁の前記一対のリード挿通孔を外部から視認可能とするスリットが貫設されている
ことを特徴とするコンデンサ内蔵ジョイントコネクタ。
【請求項２】
前記スリットが、前記底壁に設けられた前記一対のリード挿通孔を結ぶ径方向線が前記筒壁と交差する箇所に一対形成されている請求項１に記載のコンデンサ内蔵ジョイントコネクタ。
【請求項３】
前記スリットが、前記筒壁の軸方向全長亘って形成されており、前記スリットを通って前記一対のリード部が前記筒壁の内部にスライド挿入可能となっている請求項１又は２に記載のコンデンサ内蔵ジョイントコネクタ。
【請求項４】
前記スリットの幅寸法が、前記底壁側において拡大されている請求項３に記載のコンデンサ内蔵ジョイントコネクタ。
【発明の詳細な説明】
【技術分野】
【０００１】
本発明は、複数の端子部を有する電源側バスバーと、複数の端子部を有するアース側バスバーと、それら電源側バスバーとアース側バスバーの間を接続するコンデンサが、コネクタハウジングに収容保持されてなるコンデンサ内蔵ジョイントコネクタに関するものである。
【背景技術】
【０００２】
従来から、自動車等に搭載された電気・電子機器から導出される複数の電線を一括接続するジョイントコネクタの一種として、複数の端子部を有する電源側バスバーと複数の端子部を有するアース側バスバーの間にコンデンサが接続されたコンデンサ内蔵ジョイントコネクタが知られている。例えば、特開２００７−２８７６４４号公報（特許文献１）に記載のものがそれである。このようなコンデンサ内蔵ジョイントコネクタによれば、電源側バスバーの端子部に接続された各種機器のプラス側や電源のプラス側から導出される複数の電線が、電源側バスバーを介して一括接続される一方、アース側バスバーの端子部に接続された各種機器のマイナス側や電源のマイナス側から導出される複数の電線が、アース側バスバーに一括接続される。そして、アース接続されたコンデンサが電源側に接続されることにより、電源側に発生するノイズを除去することができるようになっている。
【０００３】
ところで、このような従来構造のコンデンサ内蔵ジョイントコネクタでは、特許文献１の図５や図６に示されるように、電源側バスバーおよびアース側バスバーをコネクタハウジングに収容配置した状態で、コンデンサの一対のリード部を、各バスバーに形成されたリード接続部に設けられた挿通孔に挿通してそれぞれ半田付けすることにより、コンデンサと電源側バスバーおよびアース側バスバーの接続が図られている。
【０００４】
ところが、コンデンサから突出する一対のリード部を各バスバーの挿通孔に合う位置で屈曲させて挿通する作業は非常に煩雑であり、作業効率の悪化を招いていた。しかも、各リード部を各リード接続部に半田付けする際には、治具等でコンデンサとコネクタハウジングを位置決め保持する必要があり、作業に必要な部品点数や工数の増加を招き、作業性をさらに悪化させていた。
【先行技術文献】
【特許文献】
【０００５】
【特許文献１】特開２００７−２８７６４４号公報
【発明の概要】
【発明が解決しようとする課題】
【０００６】
本発明は、上述の事情を背景に為されたものであって、その解決課題は、電源側バスバーおよびアース側バスバーへのコンデンサのリード部の接続作業を簡便且つ容易に行うことができると共に、それらの接続安定性を有利に維持することができる、新規な構造のコンデンサ内蔵ジョイントコネクタを提供することにある。
【課題を解決するための手段】
【０００７】
本発明の第一の態様は、複数の端子部を有する電源側バスバーと、複数の端子部を有するアース側バスバーと、前記電源側バスバーと前記アース側バスバーの間を接続するコンデンサが、コネクタハウジングに収容保持されてなるコンデンサ内蔵ジョイントコネクタにおいて、前記コネクタハウジングが、該コネクタハウジングの一端側に設けられて前記電源側バスバーと前記アース側バスバーを保持するバスバー保持部と、前記コネクタハウジングの他端側に設けられて前記バスバー保持部から離隔した位置に前記コンデンサを保持するコンデンサ保持部と、前記バスバー保持部と前記コンデンサ保持部との間に設けられた接続領域とを含んで構成されている一方、前記コンデンサが、コンデンサ本体と、該コンデンサ本体の底面から同じ向きに突出する一対のリード部を備えていると共に、前記電源側バスバーと前記アース側バスバーが、前記コンデンサの前記一対のリード部が接続されるリード接続部をそれぞれ備えており、前記コネクタハウジングの前記接続領域には、前記バスバー保持部から前記コンデンサ保持部に向かって突出する前記電源側バスバーおよび前記アース側バスバーの前記リード接続部と、前記コンデンサ保持部から前記バスバー保持部に向かって突出する前記コンデンサの前記一対のリード部が、相互に重ね合わされて電気的に接続されている一方、前記コンデンサ保持部が、前記コンデンサ本体の前記底面に対向する底壁と、前記コンデンサ本体の外周面を覆う筒壁を有して構成されており、前記底壁には、前記コンデンサの前記一対のリード部が挿通される一対のリード挿通孔が貫設されている一方、前記筒壁には、前記底壁の前記一対のリード挿通孔を外部から視認可能とするスリットが貫設されていることを、特徴とする。
【０００８】
本発明に従う構造とされたコンデンサ内蔵ジョイントコネクタによれば、コネクタハウジングの一端側に設けられたバスバー保持部と、他端側に設けられたコンデンサ保持部の間に接続領域が設けられており、当該接続領域内において、コンデンサのリード部と電源側バスバーおよびアース側バスバーのリード接続部とが相互に重ね合わされて電気的に接続される構造とされている。従って、コネクタハウジングのバスバー保持部とコンデンサ保持部の間の中間部分に設けられた接続領域を利用することにより、当該接続領域内でリード部とリード接続部を容易且つ安定して電気的に接続させることができる。特に、コネクタハウジングの両端側で接続対象である電源側バスバー／アース側バスバーとコンデンサが保持されていることから、接続対象の位置決めをコネクタハウジングへの装着と同時に容易に達成できる。これにより、従来構造に比して接続工程に必要とされる治具や位置合わせの作業を有利に削減して、接続作業を簡便且つ容易に行うことができる。
【０００９】
また、接続領域がバスバー保持部とコンデンサ保持部の間に設けられていることから、各バスバーから突出するリード接続部や、コンデンサ本体の底面から突出する一対のリード部を屈曲等することなく、接続領域内に突出させるのみで、リード接続部とリード部を重ね合わせて電気的に接続させることができる。それ故、従来構造の如きコンデンサの一対のリード部をリード接続部の位置に合わせて屈曲させる必要がなく、接続作業の一層の効率化を図ることができる。
【００１０】
加えて、コンデンサ保持部には、リード挿通孔が設けられていることから、コンデンサのリード部をリード挿通孔に挿通するだけで、コンデンサ保持部に保持されたコンデンサを確実に位置決め保持することができ、リード部とリード接続部の接続作業時やその後の使用時におけるコンデンサの回転による接続不良等を未然に防止することができる。なお、コンデンサ保持部の底壁にこのようなリード挿通孔を設けた際には、コンデンサ本体の底面から突出するリード部をコンデンサ保持部の奥方にあるリード挿通孔に挿通する作業が困難となり、却って作業性を悪化させることが予測できるが、本発明ではかかる作業も容易に行い得るようになっている。
【００１１】
すなわち、コンデンサ保持部の筒壁には、底壁の前記一対のリード部を外部から視認可能とするスリットが貫設されている。従って、作業者は、コンデンサ保持部にコンデンサのリード部を挿入し、筒壁に設けられたスリットから底壁に設けられたリード挿通孔を目視確認しつつ、コンデンサのリード部を容易に位置合わせしてリード挿通孔に挿通することができる。それ故、リード挿通孔にコンデンサのリード部を挿通する作業は非常に容易に行うことができるのである。
【００１２】
なお、スリットとは、コンデンサ保持部の筒壁を板厚方向に貫通して、底壁のリード挿通孔をスリットを介して視認可能とするものであれば、何れも含まれる。例えば、スリットは筒壁の軸方向全長に亘って設けられていてもよいし、筒壁の一部を窓状に貫通するように設けられていてもよい。また、コンデンサのリード部とバスバーのリード接続部の接続方法も任意であり、接続領域で実施し得るものであれば、抵抗溶接の他、半田付け等の方法により電気的に接続されるようにしてもよい。
【００１３】
本発明の第二の態様は、前記第一の態様に記載のものにおいて、前記スリットが、前記底壁に設けられた前記一対のリード挿通孔を結ぶ径方向線が前記筒壁と交差する箇所に一対形成されているものである。
【００１４】
本態様によれば、一対のリード挿通孔を結ぶ径方向線と交差する筒壁の一部が切り取られてスリットが形成されている。それ故、筒壁外部からスリットを介して一対のリード挿通孔を一度に容易に確認することができ、作業者が一対のリード部を一対のリード挿通孔に対してそれぞれ位置決めして挿し入れる作業が、一層容易に行い得る。しかも、一対のリード挿通孔を結ぶ径方向線上で対向して一対のスリットが形成されていることから、一方のスリットから作業者が目視確認する際に、他方のスリットから明かりが射し込むことにより、作業者の目視確認作業が一層有利に行い得るのである。
【００１５】
本発明の第三の態様は、前記第一又は第二の態様に記載のものにおいて、前記スリットが、前記筒壁の軸方向全長亘って形成されており、前記スリットを通って前記一対のリード部が前記筒壁の内部にスライド挿入可能となっているものである。
【００１６】
本態様によれば、スリットが、コンデンサのリード部が挿通可能な幅寸法を有して筒壁の軸方向全長亘って形成されている。それ故、作業者は、コンデンサのリード部を、コンデンサ保持部の筒壁の端部開口部から、必ずしも挿入する必要はなく、筒壁の軸方向全長に亘って形成されたスリットを通じて筒壁の周囲からスライド挿入することも可能となる。これにより、リード部を筒壁の周囲から挿し入れて、リード部の先端をリード挿通孔の直前に位置合わせすることが可能となり、一層の作業容易性が達成される。
【００１７】
本発明の第四の態様は、前記第三の態様に記載のものにおいて、前記スリットの幅寸法が、前記底壁側において拡大されているものである。
【００１８】
本態様によれば、スリットの幅寸法が底壁側において拡大されていることから、リード部とリード挿通孔の目視確認を一層容易に行うことができる。しかも、幅寸法が拡大されるのは、底壁側に限られていることから、底壁から離隔するコンデンサ保持部の筒壁の先端側では、広い面積でコンデンサ本体を安定して保持することができ、コンデンサ保持部によるコンデンサの保持安定性は有利に維持できるのである。
【発明の効果】
【００１９】
本発明においては、コネクタハウジングの一端側に設けられたバスバー保持部と、他端側に設けられたコンデンサ保持部の間に接続領域が設けられており、当該接続領域内において、コンデンサのリード部と電源側バスバーおよびアース側バスバーのリード接続部を電気的に接続するようにした。これにより、接続対象を少ない部品点数で確実に位置決め保持して接続工程を容易且つ簡便に行うことができる。しかも、コンデンサ保持部の筒壁には、底壁の一対のリード部を外部から視認可能とするスリットが貫設されていることから、作業者は、筒壁に設けられたスリットから底壁に設けられたリード挿通孔を目視確認しつつ、コンデンサのリード部を容易に位置合わせしてリード挿通孔に挿通することができる。
【図面の簡単な説明】
【００２０】
【図１】本発明の一実施形態としてのコンデンサ内蔵ジョイントコネクタの分解斜視図。
【図２】図１に示したコネクタハウジングに対して、電源側バスバー，アース側バスバーおよびコンデンサを組み付けたコネクタ本体と、コネクタケースを示す分解斜視図。
【図３】図１に示したコネクタハウジングのコンデンサ保持部にコンデンサを装着する工程の一例を示す要部拡大側面図。
【図４】図３のＩＶ−ＩＶ断面要部拡大図。
【図５】図３のＶ−Ｖ断面要部拡大図。
【図６】図１に示したコネクタハウジングのコンデンサ保持部にコンデンサを装着する工程の別の例を示す要部拡大斜視図。
【発明を実施するための形態】
【００２１】
以下、本発明の実施形態について、図面を参照しつつ説明する。
【００２２】
先ず、図１および図２に、本発明の一実施形態としてのコンデンサ内蔵ジョイントコネクタ１０の分解斜視図を示す。コンデンサ内蔵ジョイントコネクタ１０は、複数の端子部１２を有する電源側バスバー１４と、複数の端子部１６を有するアース側バスバー１８と、電源側バスバー１４とアース側バスバー１８の間を接続するコンデンサ２０が、コネクタハウジング２２に収容保持されてなるコネクタ本体２４を含んで構成されている。そして、コネクタ本体２４がコネクタケース２６に収容保持されることにより、本実施形態のコンデンサ内蔵ジョイントコネクタ１０が構成されるようになっている。
【００２３】
より詳しくは、電源側バスバー１４およびアース側バスバー１８は、銅や銅合金等の導通性金属平板を所定の形状にプレス打ち抜き加工等して形成されている。図１に示すように、電源側バスバー１４は、相互に離隔して整列配置された複数の端子部１２が、それらの基端部側でビーム状の連結部３０を介して相互に連結されている。連結部３０を挟んで端子部１２と反対側には、連結部３０の両端側から突出する一対の係合突部３２ａ，３２ｂが突設されている。また、連結部３０の中央部分のやや係合突部３２ａ寄りには、帯状の電源側リード接続部３４が係合突部３２ａ，３２よりも大きな突出長さで突設されている。同様に、アース側バスバー１８は、相互に離隔して整列配置された複数の端子部１６が、それらの基端部側でビーム状の連結部３６を介して相互に連結されている。連結部３６を挟んで端子部１６と反対側には、連結部３６の両端側から突出する一対の係合突部３８ａ，３８ｂが突設されている。また、連結部３６の中央部分の係合突部３８ｂ寄りには、帯状のアース側リード接続部４０が係合突部３８ａ，３８よりも大きな突出長さで突設されている。なお、アース側リード接続部４０は、突出先端部側が側面視でクランク状に屈曲されて立ち上げられており、その突出先端面４０ａが、端子部１６よりも上方に位置されるようになっている。
【００２４】
電源側バスバー１４とアース側バスバー１８の間を接続するコンデンサ２０は、円筒形状のコンデンサ本体４２と、コンデンサ本体４２の底面４４から同じ向きである軸方向外方（図１中、左側）に突出する一対のリード部４６ａ，４６ｂを備えている。このような構造を備えたコンデンサ２０として、従来から公知の電解コンデンサやフィルムコンデンサ等の各種コンデンサが好適に採用可能である。
【００２５】
これらの電源側バスバー１４、アース側バスバー１８およびコンデンサ２０を収容保持するコネクタハウジング２２は、非導通性の合成樹脂材料を射出成形等により一体形成した構造とされている。図１に示すように、コネクタハウジング２２は、その中央部分に矩形枠体部４８を備えており、矩形枠体部４８の内部に形成される中空領域により、矩形枠体部４８によって画成される接続領域５０が構成されるようになっている。コネクタハウジング２２の長手方向の一端側となる、矩形枠体部４８の一対の対向壁部の一方（図１中、左側）には、バスバー保持部５２が一体形成されている。また、コネクタハウジング２２の長手方向の他端側となる、矩形枠体部４８の一対の対向壁部の他方（図１中、右側）には、バスバー保持部５２から長手方向に離隔した位置に、コンデンサ２０を収容保持するコンデンサ保持部５４が一体形成されている。
【００２６】
バスバー保持部５２には、コンデンサ保持部５４との対向方向で内部を貫通する電源側バスバー収容孔５６とアース側バスバー収容孔５８が形成されている。電源側バスバー収容孔５６とアース側バスバー収容孔５８は、矩形枠体部４８の軸方向の上下に並ぶように配列されている。そして、バスバー保持部５２の電源側バスバー収容孔５６に対して、外方開口側（図１中、左側）から電源側バスバー１４が挿し入れられると、電源側バスバー収容孔５６の内部に形成された図示しない係合凹部に、電源側バスバー１４に設けられた一対の係合突部３２ａ，３２ｂが嵌り込んで保持される。これにより、電源側バスバー１４が、バスバー保持部５２の電源側バスバー収容孔５６の所定位置に位置決めされて保持される。かかる位置決め状態下において、電源側バスバー１４に設けられた電源側リード接続部３４が、電源側バスバー収容孔５６を貫通して、バスバー保持部５２からコンデンサ保持部５４に向かって突出するようにして、接続領域５０内に配設されている。
【００２７】
同様に、バスバー保持部５２のアース側バスバー収容孔５８に対して、外方開口側（図１中、左側）からアース側バスバー１８が挿し入れられる。なお、アース側バスバー１８は、前述のとおり先端側がクランク状に折り曲げられたアース側リード接続部４０を有していることから、アース側リード接続部４０を全長に亘ってアース側バスバー収容孔５８に挿通することは不可能である。そこで、アース側バスバー収容孔５８の底面には、切欠部６０が形成されている。そして、アース側バスバー１８をアース側バスバー収容孔５８に挿し入れる際には、先ず、アース側リード接続部４０の基端部側を下方から切欠部６０に嵌め入れるようにしてアース側バスバー収容孔５８に挿し入れる。その後、アース側バスバー１８の一対の係合突部３８ａ，３８ｂを、アース側バスバー収容孔５８の外方開口側（図１中、左側）から奥方に挿し入れると、アース側バスバー収容孔５８の内部に形成された図示しない係合凹部に、アース側バスバー１８の一対の係合突部３８ａ，３８ｂが嵌り込んで保持される。これにより、アース側バスバー１８が、バスバー保持部５２のアース側バスバー収容孔５８の所定位置に位置決めされて保持されるのである。
【００２８】
ここで、バスバー保持部５２に収容保持された電源側バスバー１４の電源側リード接続部３４の上面と、アース側バスバー１８のアース側リード接続部４０の突出先端面４０ａの上面が、矩形枠体部４８の軸方向において略同じ位置に保持されるようになっている。
【００２９】
一方、コネクタハウジング２２の他端側に一体形成されたコンデンサ保持部５４は、図１に示すように、コンデンサ本体４２の底面４４に対向する底壁６２と、コンデンサ本体４２の外周面を覆う筒壁６４を有しており、全体として、略有底円筒形状に構成されている。筒壁６４の内径寸法は、コンデンサ本体４２の外径寸法よりも僅かに大きくされている。また、筒壁６４の軸方向長さは、コンデンサ本体４２の軸方向長さと略同一とされており、コンデンサ本体４２がコンデンサ保持部５４の内部に収容された状態で、コンデンサ本体４２がコンデンサ保持部５４から軸方向に突出しないようになっている。
【００３０】
コンデンサ保持部５４の底壁６２には、コンデンサ２０の一対のリード部４６ａ，４６ｂが挿通される一対のリード挿通孔６６ａ，６６ｂが貫設されている。一方、コンデンサ保持部５４の筒壁６４には、底壁６２の設けられた一対のリード部を外部から視認可能とするスリット６８，６８が貫設されている。なお、図５に拡大して示すように、本実施形態では、底壁６２に設けられた一対のリード挿通孔６６ａ，６６ｂを結ぶ径方向線：Ｌが、前記筒壁６４と交差する２箇所において、筒壁６４が部分的に切り欠かれることにより、一対のスリット６８，６８が筒壁６４に貫設されている。要するに、一対のスリット６８，６８は、図１に表れる筒壁６４の一方の側面と、図１に表れない筒壁６４の他方の側面のそれぞれに、１つずつ設けられている。
【００３１】
各スリット６８は、筒壁６４の軸方向全長亘って形成されており、筒壁６４の周方向長さに該当するスリット６８の幅寸法が、スリット６８の軸方向において異ならされている。具体的には、図３に拡大して示すように、各スリット６８は、コンデンサ保持部５４の底壁６２側（図３中、左側）において、その幅寸法Ｗ１が拡大された拡幅部６８ａを有していると共に、コンデンサ保持部５４の開口側（図３中、右側）において、その幅寸法Ｗ２が小さくされた狭幅部６８ｂとを有しており、それら拡幅部６８ａと狭幅部６８ｂが相互に連接されてスリット６８が構成されている。なお、各スリット６８の狭幅部６８ｂの幅寸法Ｗ２は、リード部４６ａ，４６ｂの径寸法φ１よりも大きくされており、さらに拡幅部６８ａの幅寸法Ｗ１は狭幅部６８ｂの幅寸法Ｗ２よりも大きくされている（Ｗ１＞Ｗ２＞φ１）。これにより、コンデンサ保持部５４の筒壁６４の側方から、各スリット６８を通って一対のリード部４６ａ，４６ｂが筒壁６４の内部にスライド挿入可能となっている。また、底壁６２側に拡幅部６８ａを形成したことから、リード挿通孔６６ａ，６６ｂのスリット６８からの目視確認が容易に行うことが可能となっている。また、底壁６２から離隔する筒壁６４の開口側に狭幅部６８ｂを設けたことから、スリット６８の開口面積を小さくして、筒壁６４のより広い面積でコンデンサ本体４２を安定して保持することができるようになっている。
【００３２】
なお、各スリット６８の拡幅部６８ａの幅寸法Ｗ１は、狭幅部６８ｂの幅寸法Ｗ２よりも大きくされていればよいが、より好ましくは、図５に示すように、拡幅部６８ａの端面を通る径方向線がなす角αの角度が、１０〜６０度、さらに好ましくは１５〜３０度となるように設定される。径方向線がなす角αが１０度より小さいと、拡幅部６８ａによる視認性の向上が十分には発揮できないおそれがあり、径方向線がなす角αが６０度より大きいと、コンデンサ保持部５４の剛性が十分に確保できないおそれがあるからである。
【００３３】
次に、図３および図４を用いて、電源側バスバー１４とアース側バスバー１８がバスバー保持部５２に収容保持されたコネクタハウジング２２に対して、コンデンサ２０を装着する作業の一例について説明する。図３に示すように、作業者は、コンデンサ保持部５４の開口側（図３中、右側）から、コンデンサ２０をリード部４６ａ，４６ｂ側から挿し入れて装着することができる。その際、筒壁６４には、一対のスリット６８，６８が貫設されていることから、作業者は、スリット６８を介して底壁６２に設けられたリード挿通孔６６ａ，６６ｂの位置を目視で確認しつつ、コンデンサ２０のリード部４６ａ，４６ｂの先端部を容易に位置合わせして、それぞれのリード挿通孔６６ａ，６６ｂに簡単に挿し入れることができ、挿通作業性の向上が有利に図られているのである。
【００３４】
また、図４に拡大して示すように、リード挿通孔６６ａ，６６ｂの内面は、リード部４６ａ，４６ｂの挿入方向（図４中、右側から左側への方向）において、次第に径寸法が小さくなる段差のない滑らかなテーパー面とされている。従って、リード挿通孔６６ａ，６６ｂにリード部４６ａ，４６ｂを挿し入れる際に、引っ掛かり等がなく滑らかにセンタリングされつつ挿入されることとなる。なお、図２に示されるように、矩形枠体部４８には、一体形成されたコンデンサ保持部５４の底壁６２に近接して、リード支持台７０が突設されており、リード支持台７０の上面には、一対のリード保持溝７２ａ，７２ｂが所定長さに亘って略半円形断面形状で延出形成されている。従って、リード挿通孔６６ａ，６６ｂに挿通されたリード部４６ａ，４６ｂは、リード保持溝７２ａ，７２ｂにも収容保持されることとなる。
【００３５】
さらに、図６に、コンデンサ保持部５４にコンデンサ２０を装着する作業の別の例について説明する。各スリット６８は、筒壁６４の軸方向全長に亘って形成されており、拡幅部６８ａおよび狭幅部６８ｂの何れの幅寸法Ｗ１，Ｗ２もリード部４６ａ，４６ｂの径寸法φ１よりも大きくされていることから、図６に示すように、作業者は、コンデンサ２０のリード部４６ａ，４６ｂを筒壁６４の側方から挿し入れて、リード部４６ａ，４６ｂの先端をリード挿通孔６６ａ，６６ｂの直前に位置合わせすることも可能となる。これにより、コンデンサ２０のリード部４６ａ，４６ｂのリード挿通孔６６ａ，６６ｂへの挿通作業の一層の容易化・スピード化を図ることも可能となる。
【００３６】
このように、コネクタハウジング２２に対して、電源側バスバー１４とアース側バスバー１８がバスバー保持部５２に収容保持される一方、コンデンサ２０がコンデンサ保持部５４に収容保持されることにより、図２に示すように、矩形枠体部４８によって画成された接続領域５０内には、バスバー保持部５２からコンデンサ保持部５４に向かって突出する電源側バスバー１４の電源側リード接続部３４およびアース側バスバー１８のアース側リード接続部４０と、コンデンサ保持部５４からバスバー保持部５２に向かって突出するコンデンサ２０の一対のリード部４６ａ，４６ｂが、矩形枠体部４８の軸方向で相互に重ね合わされた状態で位置決め保持されている。従って、図２に示す状態において、任意の方法により、一対のリード部４６ａ，４６ｂを、電源側リード接続部３４とアース側リード接続部４０にそれぞれ電気的に接続させることができる。本実施形態においては、矩形枠体部４８の軸方向上下側から、図示しない抵抗溶接機の一対の電極チップを挿入して、一対のリード部４６ａ，４６ｂと、電源側リード接続部３４およびアース側リード接続部４０の重ね合せ部分を、電極チップ間で挟み込み、抵抗溶接によりそれらが電気的に接続されている。
【００３７】
一対のリード部４６ａ，４６ｂと、電源側リード接続部３４およびアース側リード接続部４０が相互に重ね合わされて抵抗溶接によって電気的に接続された、図２に示すコネクタ本体２４は、最終的に、コネクタケース２６に収容保持される（図２参照）。コネクタケース２６は、非導電性の合成樹脂材により形成されており、一端側にコンデンサ保持部５４を収容する有底円筒部７４を有する一方、他端側がバスバー保持部５２を収容する矩形筒体部７６を有している。そして、矩形筒体部７６の開口部から、コネクタ本体２４がコンデンサ保持部５４を先頭に挿し入れられることにより、コネクタケース２６内に、コネクタ本体２４が位置決め保持されて収容されるようになっている。これにより、本実施形態に従うコンデンサ内蔵ジョイントコネクタ１０が提供される。このようなコンデンサ内蔵ジョイントコネクタ１０は、図示しない相手側コネクタに接続されて使用される。これにより、電源側バスバー１４の端子部１２に接続された各種機器のプラス側や電源のプラス側から導出される複数の電線が、電源側バスバー１４を介して一括接続される一方、アース側バスバー１８の端子部１６に接続された各種機器のマイナス側や電源のマイナス側から導出される複数の電線が、アース側バスバー１８に一括接続され、コンデンサ２０を介して電源側に発生するノイズを除去することができるようになっている。
【００３８】
このような本実施形態のコンデンサ内蔵ジョイントコネクタ１０によれば、コネクタハウジング２２の両端側に設けられたバスバー保持部５２とコンデンサ保持部５４に対して、それぞれ電源側バスバー１４およびアース側バスバー１８とコンデンサ２０を装着するだけで、それらの間に設けられた接続領域５０において、電気的な接続対象である電源側リード接続部３４およびアース側リード接続部４０と、コンデンサ２０のリード部４６ａ，４６ｂを屈曲等する必要なく、重ね合わせ状態に位置決め保持することができる。それ故、接続対象の位置決めをコネクタハウジング２２への装着と同時に容易に達成できる。これにより、従来構造に比して接続工程に必要とされる治具や位置合わせの作業さらにはリード部４６ａ，４６ｂの屈曲作業等を削減して、接続作業の簡便性や容易性さらには効率性を飛躍的に向上させることができる。
【００３９】
しかも、コンデンサ保持部５４には、リード挿通孔６６ａ，６６ｂが設けられていることから、コンデンサ２０のリード部４６ａ，４６ｂをリード挿通孔６６ａ，６６ｂに挿通するだけで、コンデンサ保持部５４に保持されたコンデンサ２０の中心軸周りの回転を防止することができる。これにより、接続作業時やその後の使用時におけるコンデンサ２０の回転によるリード部４６ａ，４６ｂと電源側およびアース側のリード接続部３４，４０の接続不良等を未然に防止することができる。
【００４０】
さらに、コンデンサ保持部５４の筒壁６４には、一対のスリット６８，６８が貫設されていることから、作業者は、スリット６８を介して底壁６２に設けられたリード挿通孔６６ａ，６６ｂの位置を目視で確認しつつ、コンデンサ２０のリード部４６ａ，４６ｂの先端部を容易に位置合わせして、それぞれのリード挿通孔６６ａ，６６ｂに簡単に挿し入れることができ、挿通作業性の向上が有利に図られているのである。
【００４１】
特に、本実施形態では、一対のリード挿通孔６６ａ，６６ｂを結ぶ径方向線：Ｌが、筒壁６４と交差する２箇所において、一対スリット６８，６８が設けられていることから、一対のリード挿通孔６６ａ，６６ｂを、スリット６８から一度に容易に確認することができる。また、径方向で対向するスリット６８から入射させる明かりによっても、スリット６８からのリード挿通孔６６ａ，６６ｂの視認性が有利に向上されるのである。加えて、底壁６２側に設けられた拡幅部６８ａを含んで構成されていることから、スリット６８を介したリード挿通孔６６ａ，６６ｂの一層の視認容易性が有利に確保されている。
【００４２】
また、コネクタハウジング２２の矩形枠体部４８により接続領域５０が画成されていることから、コネクタハウジング２２の剛性を確保しつつ、中間部分に中空の接続領域５０を形成することができる。従って、接続領域５０の上下側から、図示しない抵抗溶接機の一対の電極チップを挿入して、一対のリード部４６ａ，４６ｂと、電源側リード接続部３４およびアース側リード接続部４０の重ね合せ部分を、電極チップ間で挟み込み、抵抗溶接により両者を接続することが可能となるのである。従って、両者を半田付け等で接続する場合に比して、作業効率を飛躍的に向上できる。
【００４３】
また、矩形枠体部４８の一対の対向壁部にバスバー保持部５２とコンデンサ保持部５４が一体形成されていることから、それらの剛性やコネクタハウジング２２全体の剛性が確保されて、接続対象である電源側／アース側リード接続部３４，４０とコンデンサ２０のリード部４６ａ，４６ｂの位置決めを一層精度よく行うことが可能となる。
【００４４】
以上、本発明の実施形態について詳述したが、本発明はその具体的な記載によって限定されない。例えば、コンデンサ保持部５４の筒壁６４に貫設されるスリット６８は、必ずしも一対設けられる必要は無く、１つのみでもよい。またスリット６８を、筒壁６４の周上の３箇所以上に設けることも可能である。
【００４５】
さらに、スリット６８は、筒壁６４の軸方向全長に亘って形成されているいる必要は無く、例えば、拡幅部６８ａのみで構成される視認窓の如き形状としてもよい。
【００４６】
また、接続領域５０における電源側／アース側リード接続部３４，４０とコンデンサ２０のリード部４６ａ，４６ｂの接続方向は、上記実施形態の抵抗溶接に限定されず、半田付けやその他の任意の接続方向が採用可能である。
【符号の説明】
【００４７】
１０：コンデンサ内蔵ジョイントコネクタ、１２：端子部、１４：電源側バスバー、１６：端子部、１８：アース側バスバー、２０：コンデンサ、２２：コネクタハウジング、３４：電源側リード接続部（リード接続部）、４０：アース側リード接続部（リード接続部）、４２：コンデンサ本体、４４：底面、４６ａ，ｂ：リード部、５０：接続領域、５２：バスバー保持部、５４：コンデンサ保持部、６２：底壁、６４：筒壁、６６ａ，：リード挿通孔、６８：スリット
【図１】
2014096209.tif 000003
【図２】
2014096209.tif 000004
【図３】
2014096209.tif 000005
【図４】
2014096209.tif 000006
【図５】
2014096209.tif 000007
【図６】
2014096209.tif 000008